(57)【要約】【課題】  簡単な構造でありながら、ヘッドレストの後方移動を十分に抑制することができる車両用シートのヘッドレスト支持構造を提供する。【解決手段】  ヘッドレストサポートブラケット７の後面が接合される扁平な潰し加工部６Ａがアッパパイプ６の前面に形成されており、この潰し加工部６Ａの上部６Ａ１が変形抑制手段としてヘッドレストサポートブラケット７の上端部まで延出されている。このため、車両が追突を受けた際など、乗員の頭部によってヘッドレストが後方に強く押された場合においても、ヘッドレストサポートブラケット７の上端部は潰し加工部６Ａの上部６Ａ１により後屈変形が抑制され、その結果、ヘッドレストサポートブラケット７に挿通されるヘッドレストステー３と共にヘッドレストの後方移動が十分に抑制される。【選択図】  図２
2005066120.tif 000002
【特許請求の範囲】
【請求項１】
車両用シートのシートバックの上部にヘッドレストステーを介して装着されるヘッドレストの支持構造であって、
前記シートバックに埋設されたシートバックフレームの上部を構成するアッパパイプの前面には、前記ヘッドレストステーが挿通される筒状のヘッドレストサポートブラケットが固定されており、
前記ヘッドレストサポートブラケットとアッパパイプとの固定部分には、ヘッドレストサポートブラケットの上端部の後屈変形を抑制する変形抑制手段が設けられていることを特徴とする車両用シートのヘッドレスト支持構造。
【請求項２】
前記アッパパイプの前面には前記ヘッドレストサポートブラケットの後面が接合される扁平な潰し加工部が形成されており、この潰し加工部の上部が前記ヘッドレストサポートブラケットの上端部まで延出されて前記変形抑制手段が構成されていることを特徴とする請求項１に記載の車両用シートのヘッドレスト支持構造。
【請求項３】
前記ヘッドレストサポートブラケットの少なくとも上端部には前記ヘッドレストステーが挿通される合成樹脂製のヘッドレストサポートがモールドされており、このヘッドレストサポートの一部が前記ヘッドレストサポートブラケットの上端部から前記アッパパイプの上面に膨出されて前記変形抑制手段が構成されていることを特徴とする請求項１に記載の車両用シートのヘッドレスト支持構造。
【発明の詳細な説明】
【技術分野】
【０００１】
本発明は、車両用シートのシートバックの上部に装着されるヘッドレストの支持構造に関するものである。
【背景技術】
【０００２】
一般に、車両用シートのシートバックの上部にはヘッドレストが設けられている。ここで、ドライバーズシートおよびパセンジャーズシートに設けられるヘッドレストは、通常、高さ調節自在に左右一対のヘッドレストステーを介してシートバックの上部に装着される。
【０００３】
この種のヘッドレストにおいて、その下部から突出する左右一対のヘッドレストステーは、シートバックに埋設されているシートバックフレームの上部フレームに固定された左右一対の筒状のヘッドレストサポートブラケットに挿通されて支持される（例えば特許文献１参照）。
【特許文献１】特開２００１−２６２３２号公報
【発明の開示】
【発明が解決しようとする課題】
【０００４】
ところで、ヘッドレストステーを挿通させて支持する筒状のヘッドレストサポートブラケットの長さは、これを固定するシートバックフレームの上部フレームなどの直径より一般に大きいため、ヘッドレストサポートブラケットはシートバックフレームの上部フレームなどに対する固定位置より上方に突出している。このため、車両が追突を受けた際など、乗員の頭部によってヘッドレストが後方に強く押された場合には、ヘッドレストステーを介して伝達される荷重によりヘッドレストサポートブラケットが後屈変形する可能性がある。
【０００５】
そこで、本発明は、簡単な構造でありながら、ヘッドレストの後方移動を十分に抑制することができる車両用シートのヘッドレスト支持構造を提供することを課題とする。
【課題を解決するための手段】
【０００６】
本発明に係る車両用シートのヘッドレスト支持構造は、車両用シートのシートバックの上部にヘッドレストステーを介して装着されるヘッドレストの支持構造であって、シートバックに埋設されたシートバックフレームの上部を構成するアッパパイプの前面には、ヘッドレストステーが挿通される筒状のヘッドレストサポートブラケットが固定されており、ヘッドレストサポートブラケットとアッパパイプとの固定部分には、ヘッドレストサポートブラケットの上端部の後屈変形を抑制する変形抑制手段が設けられていることを特徴とする。
【０００７】
本発明に係る車両用シートのヘッドレスト支持構造では、変形抑制手段によりヘッドレストサポートブラケットの上端部の後屈変形が抑制されるため、このヘッドレストサポートブラケットに挿通されるヘッドレストステーと共にヘッドレストの後方移動が抑制される。
【０００８】
本発明の車両用シートのヘッドレスト支持構造において、ヘッドレストサポートブラケットの後面が接合される扁平な潰し加工部がアッパパイプの前面に形成されている場合、その潰し加工部の上部をヘッドレストサポートブラケットの上端部まで延出させることで変形抑制手段を構成することができる。
【０００９】
また、本発明の車両用シートのヘッドレスト支持構造において、ヘッドレストステーが挿通される合成樹脂製のヘッドレストサポートがヘッドレストサポートブラケットの少なくとも上端部にモールドされている場合、そのヘッドレストサポートの一部をヘッドレストサポートブラケットの上端部からアッパパイプの上面に膨出させることで変形抑制手段を構成することができる。
【発明の効果】
【００１０】
本発明に係る車両用シートのヘッドレスト支持構造によれば、変形抑制手段によりヘッドレストサポートブラケットの上端部の後屈変形が抑制されるため、車両が追突を受けた際など、乗員の頭部によってヘッドレストが後方に強く押された場合においても、ヘッドレストサポートブラケットに挿通されるヘッドレストステーと共にヘッドレストの後方移動を十分に抑制することができる。その結果、乗員の頭部の後方移動を抑制して乗員の頚部を保護するというヘッドレスト本来の機能を十分に維持することができる。
【発明を実施するための最良の形態】
【００１１】
以下、図面を参照して本発明に係る車両用シートのヘッドレスト支持構造の実施の形態を説明する。参照する図面において、図１は本発明の第１実施形態および第２実施形態が適用される車両用シートの概略構造を示す斜視図、図２は第１実施形態の要部構造を一部断面として示す部分側面図、図３は第２実施形態の要部構造を一部断面として示す部分側面図である。
【００１２】
第１実施形態に係る車両用シートのヘッドレスト支持構造は、図１に示す車両用シート１のシートバック２の上部に左右一対のヘッドレストステー３（一方のみ図示）を介して装着されるヘッドレスト４の支持構造である。
【００１３】
シートバック２には、その骨格となるシートバックフレーム５が埋設されている。このシートバックフレーム５の上部は、車両用シート１の幅方向に延びるアッパパイプ６で構成されている。そして、このアッパパイプ６の前面の左右２箇所には、左右一対のヘッドレストサポートブラケット７（一方のみ図示）を溶接するための扁平な潰し加工部６Ａ（一方のみ図示）が形成されている。
【００１４】
一方、ヘッドレスト４には、その骨格となるヘッドレストフレーム８が埋設されている。そして、このヘッドレストフレーム８に左右一対のヘッドレストステー３（一方のみ図示）が固定されている。
【００１５】
ヘッドレストサポートブラケット７は、ヘッドレストステー３を挿通させて支持する筒状の部材であり、その外周面は四角柱状に形成されている。そして、このヘッドレストサポートブラケット７の後面がアッパパイプ６の前面の潰し加工部６Ａに溶接されている（図２参照）。
【００１６】
図２に示すように、ヘッドレストサポートブラケット７には、ヘッドレストステー３が挿通される合成樹脂製のヘッドレストサポート９がモールドされている。このヘッドレストサポート９は、ヘッドレストサポートブラケット７の上端面からその内周にわたってモールドされている。
【００１７】
ここで、アッパパイプ６の前面に形成される左右一対の潰し加工部６Ａ（一方のみ図示）は、その上部６Ａ１がヘッドレストサポートブラケット７の上端部に臨み、その下部６Ａ２がヘッドレストサポートブラケット７の下端部に臨むように、潰し加工量を大きくして上下幅が広く設定されている。そして、ヘッドレストサポートブラケット７の上端部まで延出された潰し加工部６Ａの上部６Ａ１により、ヘッドレストサポートブラケット７の上端部の後屈変形を抑制する変形抑制手段が構成されている。
【００１８】
以上のように構成された第１実施形態の車両用シートのヘッドレスト支持構造では、例えば車両が追突を受けた際など、図示しない乗員の頭部によって図１に示すヘッドレスト４が後方に強く押されると、その荷重がヘッドレストフレーム８からヘッドレストステー３を介してヘッドレストサポートブラケット７に伝達される。
【００１９】
しかしながら、図２に示すように、ヘッドレストサポートブラケット７の上端部はアッパパイプ６の潰し加工部６Ａの上部６Ａ１に溶接されており、この上部６Ａ１によってヘッドレストサポートブラケット７の後屈変形が抑制されているため、ヘッドレストサポートブラケット７は、ヘッドレストステー３を介して伝達される荷重によって不用意に後屈変形することがない。
【００２０】
従って、第１実施形態の車両用シートのヘッドレスト支持構造によれば、ヘッドレストステー３と共にヘッドレスト４の後方移動を十分に抑制することができる。そして、図示しない乗員の頭部の後方移動を抑制して乗員の頚部を保護するというヘッドレスト４の本来の機能を十分に維持することができる。
【００２１】
次に、第２実施形態に係る車両用シートのヘッドレスト支持構造を説明する。この第２実施形態の車両用シートのヘッドレスト支持構造は、図１に示した車両用シート１に適用されるものであり、第１実施形態の車両用シートのヘッドレスト支持構造と略同様に構成されているため、同様の構成部分については、同一の符号を付して詳細な説明を省略する。
【００２２】
図３に示すように、第２実施形態の車両用シートのヘッドレスト支持構造においては、アッパパイプ６の前面に形成される左右一対の潰し加工部６Ｂ（一方のみ図示）の上下幅が図２に示した第１実施形態のアッパパイプ６の潰し加工部６Ａより狭く形成されており、その上部６Ｂ１はヘッドレストサポートブラケット７の上端部の近傍に臨み、その下部６Ｂ２はヘッドレストサポートブラケット７の下端部の近傍に臨んでいる。
【００２３】
そして、ヘッドレストサポート９には、ヘッドレストサポートブラケット７の上端面から後方のアッパパイプ６の上面に膨出するストッパ部９Ａが一体に形成されている。このストッパ部９Ａは、アッパパイプ６の潰し加工部６Ｂの上部６Ｂ１付近に当接しており、このヘッドレストサポート９のストッパ部９Ａにより、ヘッドレストサポートブラケット７の上端部の後屈変形を抑制する変形抑制手段が構成されている。
【００２４】
以上のように構成された第２実施形態の車両用シートのヘッドレスト支持構造では、例えば車両が追突を受けた際など、図示しない乗員の頭部によって図１に示すヘッドレスト４が後方に強く押されると、その荷重がヘッドレストフレーム８からヘッドレストステー３を介してヘッドレストサポートブラケット７に伝達される。
【００２５】
しかしながら、図３に示すように、ヘッドレストサポートブラケット７にモールドされたヘッドレストサポート９にはヘッドレストサポートブラケット７の上端面から後方のアッパパイプ６の上面に膨出するストッパ部９Ａが一体に形成されており、このストッパ部９Ａがアッパパイプ６の潰し加工部６Ｂの上部６Ｂ１付近に当接しているため、ヘッドレストサポートブラケット７は、ヘッドレストステー３を介して伝達される荷重によって不用意に後屈変形することがない。
【００２６】
従って、第２実施形態の車両用シートのヘッドレスト支持構造によれば、ヘッドレストステー３と共にヘッドレスト４の後方移動を十分に抑制することができる。そして、図示しない乗員の頭部の後方移動を抑制して乗員の頚部を保護するというヘッドレスト４の本来の機能を十分に維持することができる。
【００２７】
本発明に係る車両用シートのヘッドレスト支持構造は、第１，第２実施形態に限定されるものではない。例えば、アッパパイプ６の外周面の断面形状は、前面に平面を有する四角形やその他の多角形であってもよい。また、ヘッドレストサポートブラケット７の外周面の断面形状は、円形を基本としてその後面に平面が形成されたＤ字形としてもよい。
【００２８】
さらに、ヘッドレストサポートブラケット７を円筒状とし、その後面に対応する円弧状断面の溝をアッパパイプ６の前面に形成してヘッドレストサポートブラケット７をアッパパイプ６の円弧状断面の溝に嵌めて溶接してもよい。
【図面の簡単な説明】
【００２９】
【図１】本発明の第１実施形態および第２実施形態が適用される車両用シートの概略構造を示す斜視図である。
【図２】第１実施形態の要部構造を一部断面として示す部分側面図である。
【図３】第２実施形態の要部構造を一部断面として示す部分側面図である。
【符号の説明】
【００３０】
１    車両用シート
２    シートバック
３    ヘッドレストステー
４    ヘッドレスト
５    シートバックフレーム
６    アッパパイプ
６Ａ  潰し加工部
６Ａ１  潰し加工部の上部
６Ａ２  潰し加工部の下部
６Ｂ  潰し加工部
６Ｂ１  潰し加工部の上部
６Ｂ２  潰し加工部の下部
７    ヘッドレストサポートブラケット
８    ヘッドレストフレーム
９    ヘッドレストサポート
９Ａ  ストッパ部
【図１】
2005066120.tif 000003
【図２】
2005066120.tif 000004
【図３】
2005066120.tif 000005